(57)【特許請求の範囲】
【請求項１】
可撓性を有する合成樹脂材料からなり、トンネルの一次覆工コンクリート壁に打設されたロックボルトの基端部を覆うロックボルト及び角プレート用カバーであって、
前記ロックボルト基端部に角プレートを介して螺合されたナットに嵌着してその基端部を覆い、下端が開口すると共に上端に天壁を有するナットキャップと、該ナットキャップの上端外周縁に前記天壁からなだらかに延出するようにして周設される所定幅を有した環状鍔片と、該環状鍔片の周縁にそのまま同じ厚さでかつ放射状に延設される複数枚のプレートカバー片とからなり、該各プレートカバー片は前記ロックボルトに嵌挿した角プレートの角部を覆う長さと幅を有しかつ前記の開口側に湾曲するように形成されていることを特徴とするロックボルト及び角プレート用カバー。
【発明の詳細な説明】
【０００１】
【発明の属する技術分野】
本発明は、ロックボルトと吹付コンクリートを主体に施工するトンネル壁の施工において、一次覆工コンクリート壁を貫通して打設されたロックボルト基端部の角プレートまたはナットを覆い一次覆工コンクリート壁と二次覆工コンクリート壁との間に介在される止水シートが破損することのないように保護するロックボルト及び角プレート用カバーに関するものである。
【０００２】
【従来の技術】
従来、トンネル内壁のコンクリート壁の施工にあたっては、一次覆工コンクリート壁と二次覆工コンクリート壁との間に止水シートを介在させる工法が広く知られている。この施工法によれば、トンネルの内壁面にコンクリートを吹き付けて形成した一次覆工コンクリート壁に対して多数本のロックボルトをその面に対しほぼ直角に打設し、前記一次覆工コンクリート壁から突出するロックボルトの基端部に方形状の角プレートを嵌合すると共に該角プレートを一次覆工コンクリート壁に圧接するナットを螺合するようにしている。そして、前記ナットまたはロックボルトの基端部によって防水シートが破損しないように前記ナット部に外周面が丸みを帯びたナットキャップを嵌着し保護するようにしている。
【０００３】
ところが、前記角プレートに対する保護までは考えられておらず、止水シートをより確実に保護するためには二次覆工作業の際の角プレートの角部等による破損も問題であった。よって、このような止水シートの破損を防ぐため、例えば、特開平９−２７３３９７号公報に開示されるロックボルト及び角プレート用カバーが開発されている。このロックボルト及び角プレート用カバーは、トンネル内壁に一次覆工コンクリートを貫通して打設されたロックボルトの基端部に螺合されるナットに対して嵌合保持可能な凹穴を有し、かつ、前記ロックボルトの基端部を被うナットキャップの外周部に、放射状に延びる板状の羽根部を形成し、さらには各羽根部の先端部に円盤部を設けて構成されている。そして、前記ナット部にナットキャップを嵌着した状態で、各羽根部を角プレートの対角線上に位置させ各円盤部が角プレートの角部に宛がわれるようにして、ナットを含めロックボルトの基端部と角プレートの各角部を共に覆い、これにより止水シートの保護を図っている。
【０００４】
【発明が解決しようとする課題】
しかしながら、前記ロックボルト及び角プレート用カバーにあっては、各円盤部が角プレートの角部に宛がわれるようになっているものの、作業能率を上げるため作業を急ぐと時として角部から円盤部がずれることがあった。また通常、一次覆工コンクリート壁の吹付面は凹凸面になり易く、コンクリート吹付面にロックボルトをほぼ直角に打設できない場合が多い。仮にこのような状態になると、角プレートのいずれかの角部が吹付面から浮き上がるばかりでなく、ロックボルトに対し前記ロックボルト及び角プレート用カバーは直角に取着されるものの、角プレートは直角に配置されないことから、角プレートのいずれかの角部から円盤部が浮いて離れてしまうことがあった。このような状況になると、いずれもその角部に防水シートが当り破損する恐れがある。
【０００５】
更に、放射状に延びる各羽根部は角プレートに対し直交するように起立して設けられている関係上、各羽根部間には角プレート上面に空間が存在することとなって各羽根部の上端縁と角プレートの上面との間に大きな段差ができることとなる。よって、この空間上面を覆う止水シートは各羽根部の上端縁で支持され張られた状態となることから、二次覆工コンクリート壁を形成するべく吹き付けられるコンクリートの圧力でそこから破損するおそれがあり、いずれの場合も止水シートの防護機能を果たすことができなかった。
【０００６】
このように、止水シートの防護機能が果たせなくなると、一次覆工コンクリート壁面に止水シートを被せてから二次覆工コンクリート壁を形成するべくコンクリートを吹き付けた後にそのコンクリート吹付面から漏水を起こすこととなり、ロックボルト及び角プレート用カバーの本来の目的を達成するには十分ではないという課題があった。
【０００７】
そこで、本発明は上記課題を解決すべくなされたもので、ナットを含めロックボルトの基端部と角プレートの各角部を共にすっぽりと覆い止水シートの破損をほとんど無くすことができ、保護機能を十分に発揮して本来の目的を達成し得るロックボルト及び角プレート用カバーを提供することを目的とするものである。
【０００８】
【課題を解決するための手段】
かかる目的を達成するため、本発明に係るロックボルト及び角プレート用カバーは、可撓性を有する合成樹脂材料からなり、トンネルの一次覆工コンクリート壁に打設されたロックボルトの基端部を覆うロックボルト及び角プレート用カバーであって、前記ロックボルト基端部に角プレートを介して螺合されたナットに嵌着してその基端部を覆い、下端が開口すると共に上端に天壁を有するナットキャップと、該ナットキャップの上端外周縁に前記天壁からなだらかに延出するようにして周設される所定幅を有した環状鍔片と、該環状鍔片の周縁にそのまま同じ厚さでかつ放射状に延設される複数枚のプレートカバー片とからなり、該各プレートカバー片は前記ロックボルトに嵌挿した角プレートの角部を覆う長さと幅を有しかつ前記ナットキャップの開口側に湾曲するように形成した構成からなる。
【０００９】
【発明の実施の形態】
以下、本発明に係るロックボルト及び角プレート用カバーの実施の形態を図面と共に説明する。図１はロックボルト及び角プレート用カバーの表面斜視図、図２は同裏面斜視図、図３は同側断面図である。該ロックボルト及び角プレート用カバーＡは適度の可撓性を備えた合成樹脂材料または合成ゴム材料により一体に形成され、ナットキャップ１と環状鍔片２と複数枚のプレートカバー片３とで概ね構成される。前記ナットキャップ１は比較的に肉薄で円筒状をなし、下端面が開口４されると共に上端面が天壁５により閉塞されている。該ナットキャップ１の内径は後述するナット１１に嵌着される範囲でその外径より若干小さく設定されている。また、前記天壁５の中心に後述するロックボルト８の基端が臨む通孔６が開設されている。
【００１０】
更に詳しく説明すると、前記ナットキャプ１の上端外周縁には、前記天壁５から連続してなだらかに延出する、すなわち上面が傾斜の緩やかな円錐形状となる、ように所定幅を有した円輪郭上の環状鍔片２が周設されている。そして、該環状鍔片２の周縁にそのまま同じ厚さで等間隔かつ放射状、すなわち十文字状、に４枚のプレートカバー片３が延設されている。各プレートカバー片３は、全体を八等分した程度の横幅とすることが好ましく、前記ロックボルト８に嵌合した方形状の角プレート９の対角線上に位置する角部９ａを覆う長さと幅を有し、かつ全体がナットキャップ１の開口４側を向く椀形状をなすように湾曲して形成されている。これは前記角部９ａをすっぽりと覆うことができると共にプレートカバー片３に開口４側に働くバネ作用を付与するためである。また、前記ナットキャップ１の天壁５の外周隅角部１ａの上面が弧状に形成されており、極力段差を無くし防水シートが破損しないようにしている。さらにナットキャップ１の上端外周部と環状鍔片２の下面間には側面略三角形状の複数枚の補強用リブ７が放射状かつ一体に設けられている。
【００１１】
本発明に係るロックボルト及び角プレート用カバーＡは上記構成よりなり、次にその使用方法について説明する。図４は、一次覆工作業が行なわれた状態を示し、トンネルの内壁面にコンクリートを吹き付けて一次覆工コンクリート壁Ｗが形成され、その一次覆工コンクリート壁Ｗを貫通するようにしてロックボルト８がその壁面に対してほぼ直角となるように打設されている。そして、前記一次覆工コンクリート壁Ｗから突出するロックボルト８の基端部に、透孔１０にロックボルト８を挿通することにより角プレート９が嵌合されると共にナット１１が螺合される。そして、ナット１１を螺締めして角プレート９を一次覆工コンクリート壁Ｗ面に圧接する。この際、ロックボルト８の基端はナット１１より少し突出している。この状態で、該ナット１１に前記ロックボルト８の基端部を覆うようにしてロックボルト及び角プレート用カバーＡを嵌着する。
【００１２】
すなわち、プレートカバー片３間の環状鍔片２の外周縁を指で摘んでナットキャップ１の開口４をナット１１に押し当て、そのまま押込みナット１１及びロックボルト８の基端部を覆うようにしてロックボルト及び角プレート用カバーＡが嵌着される。この際、図５に示すように各プレートカバー片３が角プレート９の対角線上に位置するようにして、それぞれの角部９ａを覆うようにする。以後、他の部位においても同様の作業を繰り返す。
【００１３】
次に、このようにしてロックボルト８の基端部にロックボルト及び角プレート用カバーＡを嵌着してから、一次覆工コンクリート壁Ｗ面に止水シート（図示せず。）を貼着固定し、さらにその上から二次覆工コンクリート壁（図示せず。）を吹き付けることになる。この際、ロックボルト８の基端部とナット１１はナットキャップ１により覆われる。また、角プレート９の各角部９ａはいずれもプレートカバー片３により覆われており、図４鎖線に示すように環状鍔片２がなだらかに延出するように周設され、しかもその周縁にそのまま同じ厚さでかつ放射状に各プレートカバー片３が延設されているので、これら上面には突出するようにものがなく、また各プレートカバー片３の可撓性によりナットキャップ１の天壁５から全体的に連続してなだらかな曲線でもって湾曲することとなる。本発明にあっては、環状鍔片２を設け該環状鍔片２すなわちナットキャップ１の上端外周縁から各プレートカバー片３がなだらかに延出される必要がある。更に、ナットキャップ１の外周部位は、各プレートカバー片３が比較的広幅でしかも均等に広がっていることから、広い面積を覆うこととなり止水シートを被せた場合でも、各プレートカバー片３間に止水シートが入り込むことが少なく、それによっても破損することが無い。
【００１４】
また、比較的幅の広いプレートカバー片３によって角プレート９の各角部９ａが覆われるので、各プレートカバー片３が角プレート９の対角線位置から多少ずれても角部９ａがプレートカバー片３から食み出るようなことが無く、しかも各プレートカバー片３は開口４側に湾曲するように形成されていることから、弾性力が働き押さえても外周端部が跳ね上がることが無く、各角部９ａをしっかりと覆う。よって、この場合も止水シートが破断して破損することがほとんど無くなる。
【００１５】
図６は、一次覆工コンクリート壁Ｗにロックボルト８をその面に対しほぼ直角とならないように打設した場合を示し、この場合は角プレート９の一角部９ａが前記一次覆工コンクリート壁Ｗ面から浮いた状態になる。しかしながら、前記各プレートカバー片３は湾曲してその先端が下がり、前記角部９ａを浮いて隙間が生じないようにしてすっぽりと覆うこととなる。よって、この場合も前記角部９ａにより止水シートが破断して破損することがほとんど無くなる。
【００１６】
従って、ロックボルト８の基端部とナット１１に対しナットキャップ１が嵌着され、さらに角プレート９の角部９ａに対してはプレートカバー片３がしっかりと覆われるので、結果的に全体を平坦な面で覆うことができ、破損を起こすような段差もなく、これにより止水シートの破損をほぼ完全に無くすることができる。また、本発明に係るロックボルト及び角プレート用カバーＡは、各プレートカバー片３間で環状鍔片２の外周縁を手先で摘むようにすれば持ち易く扱いやすい。また、プレートカバー片３間に隙間が設けられていることから、そこからロックボルト８の基端部またはナット１１の位置が見えやすく、ロックボルト及び角プレート用カバーＡの取付作業がおこない易いという効果も有る。
【００１７】
なお、本発明にあっては各プレートカバー片３の幅を全体を８等分した寸法としたが、各プレートカバー片３間の隙間を狭くしてそれより広くしても良く、またプレートカバー片３を四枚等間隔に設けたが、角プレート９が四角形以外の多角形であれば、それに対応させてプレートカバー片３の枚数を変更させても良く、またその形状も種々変えても良いこと勿論である。
【００１８】
【発明の効果】
以上、説明したように本発明に係るロックボルト及び角プレート用カバーは、ナットキャップの上端外周縁に天壁からなだらかに延出するようにして所定幅を有する環状鍔片を周設し、該環状鍔片の周縁にそのまま同じ厚さでかつ放射状に複数枚のプレートカバー片を延設してなり、該各プレートカバー片は前記ロックボルトに嵌合した角プレートの角部を覆う長さと幅を有しかつ前記ナットキャップの開口側に湾曲するように形成したので、各プレートカバー片がその可撓性とバネ作用によって段差が無くなだらかな曲線でもって湾曲することとなり、止水シートをその上面に無理なく沿わせることができ、更に、角プレートの角部をすっぽりと覆うことができると共に角部がプレートカバー片から食み出すようなことがほとんどない。これにより、止水シートの破損もなくその保護機能を十分に発揮して本来の目的を十分達成し得るという効果がある。また、本発明に係るロックボルト及び角プレート用カバーは、成形も容易であって製作コストも低廉になし得るという効果も有る。
【図面の簡単な説明】
【図１】本発明に係るロックボルト及び角プレート用カバーの表面斜視図。
【図２】同裏面斜視図。
【図３】同側面断面図。
【図４】ロックボルト及び角プレート用カバーの使用状態を示す縦断面図。
【図５】同平面図。
【図６】ロックボルト及び角プレート用カバーの使用状態を示す縦断面図。
【符号の説明】
１          ナットキャップ
２          環状鍔片
３          プレートカバー片
４          開口
５          天壁
８          ロックボルト
９          角プレート
９ａ        角部
１１        ナット
Ａ          ロックボルト及び角プレート用カバー
Ｗ          一次覆工コンクリート壁
【図１】
0004235343.tif 000002
【図２】
0004235343.tif 000003
【図３】
0004235343.tif 000004
【図４】
0004235343.tif 000005
【図５】
0004235343.tif 000006
【図６】
0004235343.tif 000007